(57)【要約】    【課題】  高い栄養価を保持しつつ廉価な配合飼料を提供することである。    【解決手段】  ８０容積％〜８５容積％の大麦、及び、１０容積％〜１５容積％の大豆粕を粉状にして混合し、１００°Ｃ±１０°Ｃで加熱し、加圧して押し出し成形することによって形成される。或いは、８５容積％の大麦、７．５容積％〜１０容積％の綿実粕、及び、５容積％〜７．５容積％の菜種粕を粉状にして混合し、１００°Ｃ±１０°Ｃで加熱し、加圧して押し出し成形することによって形成される。【選択図】  図１
2004321170.tif 000002
【特許請求の範囲】
【請求項１】
８０容積％〜８５容積％の大麦、及び、１０容積％〜１５容積％の大豆粕を粉状にして混合し、１００°Ｃ±１０°Ｃで加熱し、加圧して押し出し成形することによって形成されることを特徴とするペレット状配合飼料。
【請求項２】
８５容積％の大麦、７．５容積％〜１０容積％の綿実粕、及び、５容積％〜７．５容積％の菜種粕を粉状にして混合し、１００°Ｃ±１０°Ｃで加熱し、加圧して押し出し成形することによって形成されることを特徴とするペレット状配合飼料。
【請求項３】
８０容積％〜８５容積％の大麦、最大で１５容積％の亜麻粕、及び、最大で１５容積％の菜種粕を混合し、１００°Ｃ±１０°Ｃで加熱し、加圧して押し出し成形することによって形成されることを特徴とするペレット状配合飼料。
【請求項４】
少なくとも８５容積％の大麦及び最大で１５容積％の亜麻粕、又は、少なくとも８５容積％の大麦及び最大で１５容積％の菜種粕を混合し、１００°Ｃ±１０°Ｃで加熱し、加圧して押し出し成形することによって形成されることを特徴とするペレット状配合飼料。
【請求項５】
８０容積％〜８５容積％の大麦、最大で１５容積％のえん麦、及び、最大で１５容積％のアルファルファを混合し、１００°Ｃ±１０°Ｃで加熱し、加圧して押し出し成形することによって形成されることを特徴とするペレット状配合飼料。
【請求項６】
少なくとも８５容積％の大麦及び最大で１５容積％のえん麦、又は、少なくとも８５容積％の大麦及び最大で１５容積％のアルファルファを混合し、１００°Ｃ±１０°Ｃで加熱し、加圧して押し出し成形することによって形成されることを特徴とするペレット状配合飼料。
【発明の詳細な説明】
【技術分野】
【０００１】
本発明は一般に、家畜用配合飼料に関する。より詳細には、本発明は、大麦等を加工したペレット状の配合飼料に関する。
【背景技術】
【０００２】
肉牛や豚等の家畜に与える飼料が肉の品質に大きな影響を及ぼすため、養牛や養豚等を営んでいる農家にとって、良好な飼料を選定することが極めて重要である。従来、栄養価の高い飼料として、多種類（通常は５種類以上）の単味飼料を混合した配合飼料が用いられる場合が多い。
【発明の開示】
【発明が解決しようとする課題】
【０００３】
しかしながら、多種類の単味飼料を混合すると、飼料のコストが高くなるという弊害がある。また、高コストの飼料を用いて家畜を生育すると、肉の価格も高くなるため、肉の販売量が低下するという悪循環に陥るおそれがある。
【０００４】
したがって、本発明は、高い栄養価を保持しつつ、栄養分解促進効果も大きく、体内免疫力増強にも寄与する、廉価な配合飼料を提供することを目的としている。
【課題を解決するための手段】
【０００５】
本願請求項１に記載のペレット状配合飼料は、８０容積％〜８５容積％の大麦、及び、１０容積％〜１５容積％の大豆粕を粉状にして混合し、１００°Ｃ±１０°Ｃで加熱し、加圧して押し出し成形することによって形成されることを特徴とするものである。
【０００６】
本願請求項２に記載のペレット状配合飼料は、８５容積％の大麦、７．５容積％〜１０容積％の綿実粕、及び、５容積％〜７．５容積％の菜種粕を粉状にして混合し、１００°Ｃ±１０°Ｃで加熱し、加圧して押し出し成形することによって形成されることを特徴とするものである。
【０００７】
本願請求項３に記載のペレット状配合飼料は、８０容積％〜８５容積％の大麦、最大で１５容積％の亜麻粕、及び、最大で１５容積％の菜種粕を混合し、１００°Ｃ±１０°Ｃで加熱し、加圧して押し出し成形することによって形成されることを特徴とするものである。
【０００８】
本願請求項４に記載のペレット状配合飼料は、少なくとも８５容積％の大麦及び最大で１５容積％の亜麻粕、又は、少なくとも８５容積％の大麦及び最大で１５容積％の菜種粕を混合し、１００°Ｃ±１０°Ｃで加熱し、加圧して押し出し成形することによって形成されることを特徴とするものである。
【０００９】
本願請求項５に記載のペレット状配合飼料は、８０容積％〜８５容積％の大麦、最大で１５容積％のえん麦、及び、最大で１５容積％のアルファルファを混合し、１００°Ｃ±１０°Ｃで加熱し、加圧して押し出し成形することによって形成されることを特徴とするものである。
【００１０】
本願請求項６に記載のペレット状配合飼料は、少なくとも８５容積％の大麦及び最大で１５容積％のえん麦、又は、少なくとも８５容積％の大麦及び最大で１５容積％のアルファルファを混合し、１００°Ｃ±１０°Ｃで加熱し、加圧して押し出し成形することによって形成されることを特徴とするものである。
【発明の効果】
【００１１】
本発明のペレット状配合飼料は、２又は３種類の飼料を混合することによって製造されるので、従来の配合飼料と比較して、廉価に製造することができる。また、ペレット状にしたので、家畜の胃内での発酵が緩やかになって急激なガスの発生を抑えることができ、これにより消化が良好になるとともに、従来の微粉末状の飼料で問題となっていたホコリの発生を回避し、家畜の食欲増進に寄与することが期待できる。さらに、本発明のペレット状配合飼料を牛に供与することにより、サシの造成に有効に働く。
【発明を実施するための最良の形態】
【００１２】
次に図面を参照して、本発明の好ましい実施の形態に係るペレット状配合飼料について詳細に説明する。本発明の第１の実施の形態に係るペレット状配合飼料は、主原料である大麦に大豆粕を加えたものである。
【００１３】
大麦の割合は、約８０容積％〜約８５容積％であり、大豆粕の割合は、約１０容積％〜約１５容積％である。
【００１４】
本発明の第１の実施の形態に係るペレット状配合飼料は典型的には、以下のように製造される。まず、上述の割合の大麦と大豆粕を粉砕して粉状にし、図１に示されるようなペレット・マシンのホッパーに投入する。ホッパーに投入された粉状の大麦と大豆粕は、フィーダによって混合される際に加熱部を通過して約１００°Ｃ±１０°Ｃに加熱され、造粒室に供給される。そして、粉状の大麦と大豆粕は、造粒室において、固定されたディスク・ダイと回転するローラとの間に挟み込まれ、所定の圧力でディスク・ダイの孔から下部に押し出し成形され、ディスク・ダイの下部に設けられたカッターによって適当な長さに切断されてペレット状になる。そして、回転するロータリングプレート上に落下し、ペレット・マシンの外部に排出される。なお、上述の構成とは異なる構成のペレット・マシンを用いて、粉状の大麦と大豆粕をペレット状にしてもよい。
【００１５】
本発明の第２の実施の形態に係るペレット状配合飼料は、大豆粕の代わりに、綿実粕と菜種粕を大麦に加えた点を除いて、第１の実施の形態に係るペレット状配合飼料と実質的に同一である。第２の実施の形態に係るペレット状配合飼料における大麦の割合は、８５容積％であり、綿実粕の割合は、約７．５容積％〜約１０容積％、菜種粕の割合は、約５容積％〜約７．５容積％である。
【００１６】
図２は、本発明の第１及び第２の実施の形態に係るペレット状配合飼料の粗蛋白（ＣＰ）と養分総量（ＴＤＮ）の含有量の分析結果を示した表である。例１〜例６は、第１の実施の形態に係るペレット状配合飼料に関連するデータであり、例７、例８は、第２の実施の形態に係るペレット状配合飼料に関連するデータである。
【００１７】
本発明の第３の実施の形態に係るペレット状配合飼料は、大豆粕の代わりに、亜麻粕と菜種粕の両方を大麦に加えた点を除いて、第１の実施の形態に係るペレット状配合飼料と実質的に同一である。第３の実施の形態に係るペレット状配合飼料における大麦の割合は、約８０容積％〜８５容積％であり、亜麻粕の割合は、最大で約１５容積％、菜種粕の割合は、最大で約１５容積％である。
【００１８】
本発明の第４の実施の形態に係るペレット状配合飼料は、大豆粕の代わりに、亜麻粕又は菜種粕のいずれか一方を大麦に加えた点を除いて、第１の実施の形態に係るペレット状配合飼料と実質的に同一である。第４の実施の形態に係るペレット状配合飼料における大麦の割合は、少なくとも約８５容積％であり、亜麻粕又は菜種粕の割合は、最大で約１５容積％である。
【００１９】
本発明の第５の実施の形態に係るペレット状配合飼料は、大豆粕の代わりに、えん麦とアルファルファの両方を大麦に加えた点を除いて、第１の実施の形態に係るペレット状配合飼料と実質的に同一である。第５の実施の形態に係るペレット状配合飼料における大麦の割合は、約８０容積％〜８５容積％であり、えん麦の割合は、最大で約１５容積％、アルファルファの割合は、最大で約１５容積％である。ここで、アルファルファとは、和名をウマゴヤシという植物であり、飼料等に用いられる。
【００２０】
本発明の第６の実施の形態に係るペレット状配合飼料は、大豆粕の代わりに、えん麦又はアルファルファのいずれか一方を大麦に加えた点を除いて、第１の実施の形態に係るペレット状配合飼料と実質的に同一である。第６の実施の形態に係るペレット状配合飼料における大麦の割合は、少なくとも約８５容積％であり、えん麦又はアルファルファの割合は、最大で約１５容積％である。
【００２１】
図３は、本発明の第３、第４、及び第６の実施の形態に係るペレット状配合飼料の粗蛋白（ＣＰ）と養分総量（ＴＤＮ）の含有量の分析結果を示した表である。例１〜例５は、第３の実施の形態に係るペレット状配合飼料に関連するデータであり、例６は、第４の実施の形態に係るペレット状配合飼料に関連するデータであり、例７、例８は、第６の実施の形態に係るペレット状配合飼料に関連するデータである。
【００２２】
本発明のペレット状配合飼料で和牛を飼育したところ、従来の配合飼料で飼育した場合と比較して、１頭当たり数％の牛肉育成増体が得られた。また、本発明のペレット状配合飼料は、製造時に１００°Ｃ±１０°Ｃに加熱されるため、牛の第１胃内での発酵時に脂肪酸が発生してサシ（牛肉の特定部位）の造成に有効に働くことが分かった。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２４】
【図１】本発明の好ましい実施の形態に係る配合飼料を製造するのに用いられるペレット・マシンの概略図である。
【図２】本発明の第１及び第２の実施の形態に係る配合飼料の粗蛋白と養分総量の含有量の分析結果を示した表である。
【図３】本発明の第３、第４、及び第６の形態に係る配合飼料の粗蛋白と養分総量の含有量の分析結果を示した表である。
【図１】
2004321170.tif 000003
【図２】
2004321170.tif 000004
【図３】
2004321170.tif 000005